(57)【要約】      （修正有）【課題】鼻板から吊具本体までの距離を短くするとともに、固定部材の調整と取付けが容易にできる吊具の提供。【解決手段】鼻板２１に固定される固定部材２２と、この固定部材２２に連結され軒樋５０を吊下げ保持する吊具本体２３とからなる軒樋吊具２０である。前記固定部材２２は、固定部材本体２５と角度調整手段２７とで形成される。この角度調整手段２７は、一対の角度調整板２７ａが前記固定部材本体２５を挟むように配置され、前記一対の角度調整板２７ａの第１の角部Ｐが前記固定部材本体２５の上端部６０に回転自在に係止し、前記一対の角度調整板２７ａの第２の角部Ｑが連結棒４０で固着し、前記一対の角度調整板２７ａの第２の角部Ｑと第３の角部Ｒを結ぶ辺４１が円弧状に形成されており、前記吊具本体２３が水平となるように前記角度調整板２７ａの位置を調整し、前記角度調整板２７ａと固定部材本体２５とを固定する回転係止手段４４を設けている。【選択図】図１
2006057356.tif 000002
【特許請求の範囲】
【請求項１】
鼻板に固定される固定部材と、この固定部材に連結され軒樋を吊下げ保持する吊具本体とからなる軒樋吊具であって、
前記固定部材は、固定部材本体と角度調整手段とからなり、
この角度調整手段は、円弧状の一辺を持つ略Δ形状からなる一対の角度調整板が前記固定部材本体を挟むように配置され、前記一対の角度調整板の第１の角部が前記固定部材本体の上端部に回転自在に係止し、前記一対の角度調整板の第２の角部が連結棒で固着し、前記一対の角度調整板の第２の角部と第３の角部を結ぶ辺が円弧状に形成され、
前記一対の角度調整板の第１の角部と第２の角部を結ぶ辺が鼻板に当接する状態で前記吊具本体が水平となるように、前記角度調整板の位置を調整して、前記角度調整板と固定部材本体とを固定する回転係止手段を設けることを特徴とする軒樋吊具。
【請求項２】
請求項１に記載の軒樋吊具であって、前記回転係止手段は、一方の前記角度調整板に設けられる円弧状の長孔と回転係止締具であることを特徴とする軒樋吊具。
【請求項３】
請求項１に記載の軒樋吊具であって、前記回転係止手段は、前記一方の角度調整板の第２の角と第３の角を結ぶ円弧状の一辺の外周端部に設けられる複数の切欠きと、前記固定部材本体に設けられる爪ストッパーとからなり、この爪ストッパーは支点を中心に回転する回転部とその回転部の一端に爪部と他端に回転止部を備え、前記切欠きに爪部が係合して固定部材を鼻板に固定すると、この回転止部によって爪部の回転が制止されて固定部材本体と角度調整板が固着されることを特徴とする軒樋吊具。
【請求項４】
請求項１乃至請求項３のいずれか１項に記載の軒樋吊具であって、前記一方の角度調整板の第２の角と第３の角を結ぶ円弧状の一辺近傍に角度目盛が形成されることを特徴とする軒樋吊具。
【発明の詳細な説明】
【技術分野】
【０００１】
本発明は、建築物の軒先に軒樋を取付けるための軒樋吊具の構造に関し、一種類の軒樋吊具により種々の鼻板勾配に対応できる軒樋吊具の構造に関する。
【背景技術】
【０００２】
従来、軒樋を吊り下げ保持する軒樋吊具は、吊具本体の端部に固定板が設けられており、この固定板を建物の鼻板に直接固着するようになっている。
【０００３】
しかしながら、建物に設けられる鼻板は建物の種類によって角度が異なることがあり、上述のような従来の方法では、鼻板に対する固定板の取付け角度が一定に形成されているので、施工現場で種類の異なる鼻板の角度に対応しての角度の調整を行うことができなかった。そのため、鼻板の勾配に対応するためには複数の軒樋吊具を用意しなければならないという問題があった。さらに、たとえば、勾配なし、4寸勾配、5寸勾配等に対応して専用の吊具を取り揃えていても、その他の軒先勾配に伴うたとえば2寸、5寸等の市場要望があれば、特注で用意する必要があった。
【０００４】
しかし、そのための金型投資等には多大の資金が必要であり、すべての特注に対応するのは資金面で実現不可能であった。また、常時出荷しない在庫が増えるので在庫管理に問題があった。
【０００５】
この問題を解決するために、例えば、特許文献１として実開平６−２０６８８号公報に示されているような、一種類の軒樋吊具を用いて種類の異なる鼻板の勾配に対応して設置することができる軒樋吊具が知られている。
【０００６】
特許文献１には、図１０に示すように、「軒樋吊具３は固定部材２と吊具本体４で構成され、鼻板１に固着される固定部材２の固定板５より上下方向に向けて弧状に形成された連結片６が突設する。また、吊具本体４の端部に設けられた連結体７を連結片６にスライド移動自在に連結する。そして、連結体７を連結片６の長手方向に沿う任意の位置で固定する固定ネジ８を連結体７に設ける。」という内容が開示されている。
【０００７】
図１１に示すように、軒樋吊具３が鼻板１に固着され、この軒樋吊具３の耳保持部９に軒樋１３が取付けられている。この状態で、軒樋１３の底部１３ａが水平になる。
【特許文献１】実開平６−２０６８８号公報
【発明の開示】
【発明が解決しようとする課題】
【０００８】
ところが、上記、特許文献１の軒樋吊具３では、連結体７と連結片６は固定ネジ８で固着され、連結体７と連結片６はスライド移動自在に連結される構成である。  そのため、雨水等の荷重が掛かると、稀ではあるが、連結体７がずり落ちて吊具本体４の水平度が狂うという強度上の問題があった。
【０００９】
また、連結体７と連結片６の位置関係を調整してから固定ネジ８を締め付けるので、固定ネジ８の取付けスペースが狭くなり、施工現場における固定ネジ８の締め付け動作は不安定で取付け難いという問題があった。
【００１０】
さらに、連結片６は弧状に形成されているため、鼻板１からの突出長さＹが大きいので、複数の吊具本体４の調整をする際に、鼻板１から連結体７までの相対位置に大きなバラツキがあった。そのため、稀ではあるが、軒樋１３が水平方向にずれるという問題があった。
【００１１】
そこで、本発明は、固定部材と吊具本体の位置関係の調整を不要にし、施工現場において固定部材と吊具本体との固定ネジの締め付け動作を不要にすることにより、吊具本体の上下方向の位置が狂わないことを目的とする。
【００１２】
また、鼻板から吊具本体までの距離を短くして、吊具本体の水平方向のバラツキを少なくすることを目的とする。
【００１３】
一種類の軒樋吊具で種々の鼻板勾配に対する調整が容易にできることを目的とする。
【課題を解決するための手段】
【００１４】
請求項１の発明は、鼻板に固定される固定部材と、この固定部材に連結され軒樋を吊下げ保持する吊具本体とからなる軒樋吊具であって、前記固定部材は、固定部材本体と角度調整手段とからなり、この角度調整手段は、円弧状の一辺を持つ略Δ形状からなる一対の角度調整板が前記固定部材本体を挟むように配置され、前記一対の角度調整板の第１の角部が前記固定部材本体の上端部に回転自在に係止し、前記一対の角度調整板の第２の角部が連結棒で固着し、前記一対の角度調整板の第２の角部と第３の角部を結ぶ辺が円弧状に形成され、前記一対の角度調整板の第１の角部と第２の角部を結ぶ辺が鼻板に当接する状態で前記吊具本体が水平となるように、前記角度調整板の位置を調整して、前記角度調整板と固定部材本体とを固定する回転係止手段を設けることを特徴としている。
【００１５】
この軒樋吊具であれば、前記一対の角度調整板の第１の角部が前記固定部材本体の上端部に回転自在に係止するので、鼻板から吊具本体までの距離が短くなる。また、角度調整板の位置を調整する角度調整手段と前記角度調整板と固定部材本体とを固定する回転係止手段を設けているので、固定部材の取付け角度を容易に調整することができる。
【００１６】
請求項２の発明は、請求項１に記載の軒樋吊具であって、前記回転係止手段は、一方の前記角度調整板に設けられる円弧状の長孔と回転係止締具であることを特徴としている。
【００１７】
この軒樋吊具であれば、一方の前記角度調整板に設けられる円弧状の長孔と回転係止締具によって、固定部材の取付け角度を容易に調整することができる。
【００１８】
請求項３の発明は、請求項１に記載の軒樋吊具であって、前記回転係止手段は、前記一方の角度調整板の第２の角と第３の角を結ぶ円弧状の一辺の外周端部に設けられる複数の切欠きと、前記固定部材本体に設けられる爪ストッパーとからなり、この爪ストッパーは支点を中心に回転する回転部とその回転部の一端に爪部と他端に回転止部を備え、前記切欠きに爪部が係合して固定部材を鼻板に固定すると、この回転止部によって爪部の回転が制止されて固定部材本体と角度調整板が固着されることを特徴としている。
【００１９】
この軒樋吊具であれば、円弧状の一辺の外周端部に設けられる複数の切欠きと、前記固定部材本体に設けられる爪ストッパーとからなるので、固定部材本体と角度調整板が容易に固着することができる。また、回転止部によって爪部の回転が制止されるので、固定部材本体と角度調整板を確実に固着することができる。
【００２０】
請求項４の発明は、請求項１乃至請求項３のいずれか１項に記載の軒樋吊具であって、前記一方の角度調整板の第２の角と第３の角を結ぶ円弧状の一辺近傍に角度目盛が形成されることを特徴としている。
【００２１】
この軒樋吊具であれば、固定部材の取付け角度を容易かつ確実に確認して調整することができる。
【発明の効果】
【００２２】
請求項１記載の発明によれば、鼻板から吊具本体までの距離が短くなるので、吊具本体の水平方向のバラツキを少なくすることができる。
【００２３】
固定部材の取付け角度を容易に調整することができるので、吊具本体が水平になるように一種類の軒樋吊具で種々の鼻板勾配に対する調整と取付けが容易にできる。
【００２４】
請求項２記載の発明によれば、固定部材の取付け角度を容易に調整することができる。そのため、一種類の軒樋吊具で種々の鼻板勾配に対する調整と取付けが容易にできる。
【００２５】
請求項３の発明によれば、複数の切欠きと爪ストッパーと回転止部で、固定部材本体と角度調整板が容易に確実に固着することができる。そのため、一種類の軒樋吊具で種々の鼻板勾配に対する調整と取付けが容易にできる。
【００２６】
請求項４の発明によれば、固定部材の取付け角度を容易かつ確実に確認して調整することができる。
【００２７】
そのため、一種類の軒樋吊具で種々の鼻板勾配に対する調整と取付けが容易かつ確実にできる。
【発明を実施するための最良の形態】
【００２８】
＜軒樋吊具の構成＞
以下に、本発明の第１の実施形態を〜図４に基づいて説明する。
【００２９】
図１に示すように、本実施例の軒樋吊具２０は、鼻板２１に固定される固定部材２２と、この固定部材２２に連結され軒樋５０を吊下げ保持する吊具本体２３とからなる軒樋吊具２０である。ここで、前記固定部材２２は、固定部材本体２５と角度調整手段２７とで形成される。
【００３０】
この角度調整手段２７は、円弧状の一辺を持つ略Δ形状からなる一対の角度調整板２７ａが前記固定部材本体２５を挟むように配置され、前記一対の角度調整板２７ａの第１の角部Ｐが前記固定部材本体２５の上端部６０に回転自在に係止し、前記一対の角度調整板２７ａの第２の角部Ｑが連結棒４０で固着し、前記一対の角度調整板２７ａの第２の角部Ｑと第３の角部Ｒを結ぶ辺４１が円弧状に形成されている。
【００３１】
ここで、角度調整手段２７の操作を容易にするとともに辺４３が鼻板２１に安定して当接するために、第２の角部Ｑは、第２の角部Ｑと第３の角部Ｒとの間の長さよりも少し長く延在している。そのため、連結棒４０は第２の角部Ｑの延在する先端部Ｈに設けられている。
【００３２】
そして、前記一対の角度調整板２７ａの第１の角部Ｐと第２の角部Ｑを結ぶ辺４３が鼻板２１に当接する状態で「前記吊具本体２３が水平」となるように前記角度調整板２７ａの位置を調整し、前記角度調整板２７ａと固定部材本体２５とを固定する回転係止手段４４を一方の角度調整板２７ａに設けている。
【００３３】
ここで、「吊具本体２３を水平」に設定するということは、吊具本体２３には軒樋５０を吊下げる保持部材５１が固着されており、この保持部材５１を介して軒樋５０の底部５２を略水平の状態にすることである。
【００３４】
そして、「吊具本体２３を水平」にした状態で、固定部材本体２５を鼻板２１に固定ネジ３３を用いて固定することにより、固定部材２２が鼻板２１に固定される。
【００３５】
さらに、固定部材本体２５の中央部には垂直の凹状の連結部２８が固定部材本体２５から吊具本体２３方向に突設され、この凹状の連結部２８に吊具本体２３が差し込まれて固定ネジ２９あるいはリベットによって固着される。
【００３６】
図２に示すように、吊具本体２３は帯状材を折り曲げて形成され、垂直部材２３ａと、この垂直部材２３ａの上部を下方に折り曲げて延設する斜板２３ｂと、この斜板２３ｂからさらに延設する水平部材２３ｃとで構成される。水平部材２３ｃの垂直方向の位置は水平部材２３ｃの延長線上が垂直部材２３ａの略中央に位置するように形成される。水平部材２３ｃの先端部近傍２３ｄには、保持部材５１との固着用の孔２３ｅが形成される。そして、吊具本体２３の垂直部材２３ａが固定部材２２の連結部２８に連結部２８の底に着くように差し込まれ、固定ネジ２９あるいはリベットによって吊具本体２３と固定部材２２が固着される。
【００３７】
保持部材５１は帯状材からなり、この帯状材の両横端は補強のために半円状に折り曲げその半円の円部が上方に向くように形成される。そして、この補強のための半円は帯状板の長手方向の略全域に形成されている。
【００３８】
保持部材５１の長手方向の形状は、まず、水平な中央部５１ａが吊具本体２３の水平部材２３ｃより少し長く形成され、固着用の孔５１ｂがその略中心に設けられる。この中央部５１ａから固定部材２２側は前記吊具本体２３と略同じ形状で形成されるが、固着用の孔５１ｂからの水平方向の長さは保持部材５１の一端部である垂直部５１ｃの最外端６２が吊具本体２３の連結部２８の外側面２８ａの位置になるように若干短く形成される。
【００３９】
その垂直部５１ｃに、軒樋５０の一方の耳部５３を保持する水平面からなる耳保持部５１ｄが形成される。
【００４０】
さらに、中央部５１ａから固定部材２２とは反対側に、斜板５１ｅが立ち上がるとともに水平部５１ｆに連続し、その水平部５１ｆの先端には軒樋５０の他方の耳部５４を保持する垂直部からなる耳保持部５１ｇが形成される。
【００４１】
保持部材５１の下部には、離脱防止材５６が帯状板で設けられ、固着用の長孔５６ａを一端部５６ｂ近傍に備える。そして、固着用の長孔５６ａと他端部５６ｃとの中間部には段差５６ｄが設けられ、固着用の長孔５６ａの位置が他端部５６ｃよりも垂直方向に少し高い位置に形成される。そのため、保持部材５１と離脱防止材５６が固着すると、保持部材５１と離脱防止材５６の間には隙間５６ｅが生じる。
【００４２】
吊具本体２３と保持部材５１と離脱防止材５６は、孔２３ｅ、５１ｂ、長孔５６ａを介して固定ネジ５７あるいはリベットにより一体的に連結される。このとき、吊具本体２３と離脱防止材５６は、保持部材５１の補強のための半円を除く帯状板の中央部に密着する。
【００４３】
図３、図４に示すように、角度調整手段２７の第１の角部Ｐは半径Ｓ１の半円状に形成されその中心部に孔Ｔ１が設けられる。第２の角部Ｑは幅Ｓ２で長さＳ３の凸状に延在し、その先端部Ｈの中心部に孔Ｔ２が設けられる。
【００４４】
ここで、第２の角部Ｑの先端部Ｈの一端Ｑ１を延長して第１の角部Ｐとを結ぶ長さＳ4の辺４３と平行に、他端Ｑ２から第１の角部Ｐに向かって辺４３の略１／３の位置を点Ｑ３とする。
【００４５】
点Ｑ３から第３の角部Ｒに至る辺４１は角度θが略６０度で半径Ｓ５の円弧状に形成される。また、一方の角度調整板２７ａには、回転係止手段４４としての長孔４５は円弧状の辺４１と平行に幅Ｓ７で半径Ｓ６の円弧状に設けられる。
【００４６】
そして、前記一対の角度調整板２７ａは第２の角部Ｑの孔Ｔ２に固着する連結棒４０によって一体的に形成される。連結棒４０の内法長さＳ８は固定部材本体２５を外接する長さである。
【００４７】
固定部材本体２５は、コの字状で、前面６３は高さＳ１１、幅Ｓ８の略矩形形状であり、固定部材本体２５の中央部には垂直に凹状の連結部２８が固定部材本体２５から高さＳ１１、内幅Ｓ１２、深さＳ１３で突設される。ここで、内幅Ｓ１２と深さＳ１３は吊具本体２３の幅と厚みと略同じに形成される。
【００４８】
そして、前面６３の両端から連結部２８とは反対方向に９０度折れ曲がって側壁６４が形成される。この側壁６４は、上端部６０から高さＳ１１の略２／３下方の位置６５までは幅Ｓ１４で平行に形成され、残りの高さＳ１１の略１／３の長さは位置６６から下端部６１まで幅Ｓ１５で平行に形成される。このとき、位置６５と位置６６を結ぶ線は上端部６０および下端部６１と平行である。また、幅Ｓ１４＞幅Ｓ１５の関係である。
【００４９】
ここで、位置６６から下端部６１に延びる側面７０は角度調整手段２７の角度検出に基準位置として利用される。
【００５０】
さらに、連結部２８を含む下端部６１には底板２５ａが設けられており、この底板２５ａは固定部材本体２５そのものの補強材であるとともに、吊具本体２３の垂直部材２３ａを位置決めする目的も併せて持っている。
【００５１】
そして、側面７０の延長線上には、上端部６０近傍に孔Ｔ４が設けられ、孔Ｔ４から長さＳ６下方に孔Ｔ５が設けられる。孔Ｔ５は一方の角度調整板２７ａの長孔４５の位置に合致して設けられる。
【００５２】
上記のように、角度調整板２７ａと固定部材本体２５を、それぞれの孔Ｔ１と孔Ｔ４で回転自在に係止し、角度調整板２７ａの辺４３が鼻板２１に当接させた状態で「前記吊具本体２３が水平」となるように前記角度調整板２７ａの角度を調整し、回転係止手段４４としてのボルトとナット６７で孔Ｔ５と長孔４５を貫通して前記角度調整板２７ａと固定部材本体２５とを固定する。
【００５３】
なお、角度調整板２７ａには、円弧状の辺４１の円周端部に刻まれた短線６８とともに角度６９が表示される。実施例では角度６９は２．５寸から１０．０寸の範囲で略２目盛り毎に記入されており、２．５寸から１０寸の範囲で調整可能であることを表している。
【００５４】
図５に示すように、固定部材本体２５には、固定ネジ３３用の孔３３ａが４隅に設けられる。また、固定ネジ２９あるいはリベット用の孔２９ａが凹状の連結部２８内に設けられる。
【００５５】
ここで、軒樋吊具２０の材質は、ステンレスや亜鉛メッキをした金属、あるいは軽量化や耐腐食性を考慮して例えば硬質塩化ビニール樹脂等の合成樹脂等が用いられる。
【００５６】
＜軒樋吊具の作用＞
図６(ａ)には、上記のように、角度調整板２７ａと固定部材本体２５を、角度調整板２７ａの辺４３を鼻板２１に当接させた状態で「前記吊具本体２３が水平」となるように前記角度調整板２７ａの角度を調整し、調整完了後に回転係止手段４４としてのボルトとナット６７を締めて前記角度調整板２７ａと固定部材本体２５とを固定する。
【００５７】
ここで、角度の確認は、上述のように、固定部材本体２５の側面７０を角度調整手段２７の角度検出の基準位置として利用される。
【００５８】
なお、固定部材本体２５の孔Ｔ１から吊具本体２３の垂直部材２３ａまでの長さＴ３は垂直部材２３ａが鼻板２１にできるだけ近接するように定められる。
【００５９】
このとき、軒樋５０の一方の耳部５３は耳保持部５１ｄにより下方から保持されるとともに、固着用の長孔５６ａによって離脱防止材５６を水平移動して一方の耳部５３を離脱防止材５６と垂直部５１ｃとの間に挟み込んで水平方向に保持される。保持部材５１と離脱防止材５６の間には隙間５６ｅが設けられているので、離脱防止材５６を抵抗少なく容易に水平移動できる。
【００６０】
そして、軒樋５０の底部５２が略水平の状態で、軒樋５０の一方の耳部５３は耳保持部５１ｄと離脱防止材５６で保持されるとともに、軒樋５０の他方の耳部５４が垂直部からなる耳保持部５１ｇに保持される。
【００６１】
図６(ｂ)に示すように、各角度の「寸表示」は、角度θの鼻板２１に対して「吊具本体２３を水平にする」ため、垂直方向の長さをＳ＝１０．０寸と仮定して、水平方向の長さＴを２．５寸〜１０寸まで変化させるとして表されている。
【００６２】
上記のように、本発明の第１の実施形態によれば、吊具本体２３の垂直部材２３ａが固定部材２２の連結部２８に連結部２８の底に着くように差し込まれるので、固定部材２２と吊具本体２３の位置関係の調整が不要である。また、施工現場における固定ネジ２９の締め付け動作が不要である。また、吊具本体２３の上下方向の位置が狂うことがない。
【００６３】
鼻板２１から吊具本体２３までの距離が短くなるので、吊具本体２３の水平方向のバラツキを少なくすることができる。そして、一種類の軒樋吊具で種々の鼻板勾配に対する調整が容易にできる。
【００６４】
＜本発明の第２の実施形態＞
以下に、本発明の第２の実施形態を〜図９（ａ）、（ｂ）に基づいて説明する。
【００６５】
図７、図８に、軒樋吊具の側面図と図７に置けるＡ−Ａ断面図を示すが、図１、図４に示した軒樋吊具と同構成部分については、図面に同符号を付して重複した説明を省略する。
【００６６】
図７、図８に示すように、前記一対の角度調整板２７ａの第２の角部Ｑと第３の角部Ｒを結ぶ辺４１が円弧状に形成され、その一方の円弧状の辺（円周端部）４１には複数の切欠部７２が設けられる。
【００６７】
そして、固定部材本体２５には、前記角度調整板２７ａと固定部材本体２５とを固定する回転係止手段４４としての爪ストッパー７１が設けられる。
【００６８】
そして、「吊具本体２３を水平」にした状態で、当該の切欠部７２と爪ストッパー７１を係止するとともに固定部材本体２５を鼻板２１に固定ネジ３３を用いて固定することにより、固定部材２２が鼻板２１に固定される。
【００６９】
さらに、図５で説明した内容と同じように、本実施定の場合も、固定部材２２には、固定ネジ３３あるいはリベット用の孔３３ａが４隅に設けられ、固定ネジ２９用の孔２９ａが凹状の連結部２８内に設けられる。
【００７０】
図９（ａ）、（ｂ）に示すように、爪ストッパー７１は略矩形板状の回転部７４の一端部に三角形形状の爪部７３が、回転部７４の右側面７５を延長して設けられ、他端部に回転部７４の右側面７５に沿って回転部７４から面外に９０度折れ曲がり回転部７４から突設する回転止部７８を備えている。そして、回転止部７８は回転部７４の略中央部に設けられる支点７９を中心に回転部７４とともに回転できる構造である。
【００７１】
ここで、爪ストッパー７１は回転部７４が固定部材本体２５に面接触しながら支点７９を中心に回転できるが、垂直の状態（図７で示した爪ストッパー７１の状態）から矢印７６の方向には回転部７４から突設する回転止部７８が固定部材本体２５に当るとそれ以上は回転できないようになっている。
【００７２】
矢印７７で示すように、爪ストッパー７１の爪部７３を「角度変更時」の方向に回転するときは爪部７３が切欠部７２から離れるので角度調整板２７ａは自由にその角度を変えることができる。
【００７３】
次に、爪ストッパー７１の爪部７３を「角度決定時」の方向に回転するときは爪部７３が切欠部７２に進入する（図７で示した爪ストッパー７１の状態）。
【００７４】
この状態で固定ネジ３３を捩じ込んで固定部材本体２５を鼻板２１に固定すると、その捩じ込みの力に対する反力が切欠部７２から爪部７３を介して矢印７６の方向に爪ストッパー７１を回転させる方向に働く。このとき、回転止部７８によってその反力を受け持つことができるので、固定部材本体２５を安定して鼻板２１に固定できる。
【００７５】
そのため、第２の実施形態では、角度調整板２７ａと固定部材本体２５に対して第１の実施形態のような特別な回転係止手段４４としてのボルトとナット６７を必要とせず、爪ストッパー７１によって回転係止手段４４としての効果が得られる。
【００７６】
上記のように、本発明の第２の実施形態によれば、固定部材２２と吊具本体２３の位置関係の調整が不要となり、施工現場における固定ネジ２９の締め付け動作が省略できる。また、吊具本体２３の上下方向の位置が狂うことがない。
【００７７】
鼻板２１から吊具本体２３までの距離が短くなるので、吊具本体２３の水平方向のバラツキを少なくすることができる。一種類の軒樋吊具で種々の鼻板勾配に対する調整が容易にできる。
【００７８】
以上、本発明の実施形態を図面に基づいて説明したが、上記の実施例はいずれも本発明の一例を示したものであり、本発明はこれらに限定されるべきでないということはいうまでもない。
【００７９】
例えば、回転係止手段４４としてのボルトとナット６７を両側の側壁６４に設けて前記角度調整板２７ａと固定部材本体２５とを固定してもよい。これにより、角度調整板２７ａの固定強度が向上するので、固定部材２２をさらに安定して鼻板２１に固定することができる。
【００８０】
角度調整板２７ａには、円弧状の辺４１の円周端部に刻まれた短線６８とともに角度６９が２．５寸から１０．０寸の範囲で略２目盛り毎に記入されているが、全目盛りを記入しても勿論かまわない。
【００８１】
前記角度調整板２７ａの対応する角度の範囲は、必要に応じた範囲を採用すればよい。
【図面の簡単な説明】
【００８２】
【図１】本発明の第１の実施形態における軒樋吊具の側面図である。
【図２】本発明の第１の実施形態における軒樋吊具の分解側面図である。
【図３】本発明の第１の実施形態における軒樋吊具の、角度調整手段２７と固定部材本体２５の分解側面図である。
【図４】本発明の第１の実施形態における軒樋吊具の、図１におけるＡ−Ａ断面図である。
【図５】本発明の第１の実施形態における軒樋吊具の、図１におけるＢ―Ｂ断面図である。
【図６】（ａ）は、本発明の第１の実施形態における軒樋吊具の、軒樋吊具と軒樋の取付け状態を示す側面透視図、（ｂ）は「寸表示」と角度の関係説明図である。
【図７】本発明の第２の実施形態における軒樋吊具の側面図である。
【図８】本発明の第２の実施形態における軒樋吊具の、図７におけるＡ−Ａ断面図である。
【図９】本発明の第２の実施形態における軒樋吊具の、（ａ）は、図７における固定部材２２の詳細側面図、（ｂ）は爪ストッパー７１の詳細図である。
【図１０】従来の軒樋吊具の取付け状態を示す斜視図である。
【図１１】従来の軒樋吊具の、軒樋吊具と軒樋の取付け状態を示す側面透視図である。
【符号の説明】
【００８３】
２０  軒樋吊具
２１  鼻板
２２  固定部材
２３  吊具本体
２５  固定部材本体
２７  角度調整手段
２７ａ  角度調整板
Ｐ  第１の角部
Ｑ  第２の角部
Ｒ  第３の角部
４０  連結棒
４１  辺
４４  回転係止手段
５０  軒樋
６０  上端部
【図１】
2006057356.tif 000003
【図２】
2006057356.tif 000004
【図３】
2006057356.tif 000005
【図４】
2006057356.tif 000006
【図５】
2006057356.tif 000007
【図６】
2006057356.tif 000008
【図７】
2006057356.tif 000009
【図８】
2006057356.tif 000010
【図９】
2006057356.tif 000011
【図１０】
2006057356.tif 000012
【図１１】
2006057356.tif 000013